Podtech/llm-jp-corpus-v4-ja_patent huggingface dataset:
(57)【要約】      （修正有）【課題】浴室で使用されるハンドタイプのシャワーヘッドを誤って落下させた場合に生じる衝撃から守るために、シャワーヘッドに被せるように取り付ける保護カバー及び保護材で保護されたシャワーヘッドを提供する。【解決手段】シャワーヘッド２の形状に応じて、弾力性と伸縮性のある材料により一体形成した保護カバー１である。これをシャワーヘッドに被せるように取付けて使用する。及び保護材で覆ったシャワーヘッドと保護材が部分的に着いたシャワーヘッドを使用する。【選択図】図２
0003184790.tif 000002
【実用新案登録請求の範囲】
【請求項１】
弾力性と伸縮性のある材料で一体形成せてできた、シャワーヘッドの保護カバー。
【請求項２】
弾力性と伸縮性のある材料で保護した、シャワーヘッド。
【考案の詳細な説明】
【技術分野】
【０００１】  本考案は、衝撃を保護する機能を持ったシャワーヘッド及び保護カバーに関する。
【背景技術】
【０００２】  浴室等で使用されるシャワーヘッドは、硬質の樹脂等で成形され、落下させても壊れない設計となっている。
【考案の概要】
【考案が解決しようとする課題】
【０００３】  しかしながら、シャワーヘッドは濡れた手で持つことが多く、使用者が落下させることが頻繁に起こり得る。そのため、硬質の樹脂等で形成されていても何度もシャワーヘッドを落下させると樹脂等が割れ、シャワーヘッドが破損するといった問題が生じる。【０００４】  そこで、本考案は、シャワーヘッドが落下しても破損を防止するようにするように、衝撃を保護する機能持ったシャワーヘッド及び保護カバーを提供することを目的とする。
【課題を解決するための手段】
【０００５】  上記目的を達成するために、本考案は、シャワーヘッドの保護カバーであって、弾力性と伸縮性のある材料で一体形成してできたことを特徴とする。【０００６】  また、本考案は、シャワーヘッドであって、弾力性と伸縮性のある材料で保護したことを特徴とする。
【図面の簡単な説明】
【０００７】
【図１】本考案の斜視図である。
【図２】本考案の使用例を示す斜視図である。
【考案を実施するための形態】
【０００８】  この考案は、浴室等で使用されるハンドタイプのシャワーヘッドを誤って落下させた場合に生じる衝撃から守るために、シャワーヘッドに被せるように取付ける保護カバー及び保護材で保護されたシャワーヘッドである。
【０００９】  従来のシャワーヘッドは、ほとんどが硬質の樹脂等で製造されており、使用中に誤って床に落下させると衝撃で破損することがある。
本案は、その欠点を除くために考案されたもので、これを図面について説明すれば、２のシャワーヘッドの形状に応じて、シリコーンゴム等の弾力性と伸縮性のある材料により一体形成した１の保護カバーを、２のシャワーヘッドに被せるように取付け保護する。及びあらかじめ保護材で覆われたシャワーヘッド。及びシャワーヘッドに保護材を部分的に着けたもの。
【００１０】  このようにずれば、使用中にシャワーヘッドを床に落下させても、保護カバーが及び保護材が衝撃を吸収するため、シャワーヘッドは破損しにくくなる。
【符号の説明】
【００１１】１…保護カバー
２…シャワーヘッド
【図１】
0003184790.tif 000003
【図２】
0003184790.tif 000004
(57)【要約】      （修正有）【課題】装飾ラッピングフィルムを用いて、ゴルフクラブヘッドに付いた傷・くすみの隠し又は防止を可能とし、重心位置・重量調整も可能にしたゴルフクラブを提供する。【解決手段】ゴルフクラブヘッド１のクラウン部３やバックフェース面４にカーボン柄やラメ入りで裏面に粘着性があり、再剥離性の特徴をもった装飾ラッピングフィルムに熱を加えて伸縮させながら、ゴルフクラブに貼るようにした。また、装飾ラッピングフィルムの厚みを変えることでヘッドバランスの調整が可能となる。【選択図】図１
0003184748.tif 000002
【実用新案登録請求の範囲】
【請求項１】
ゴルフクラブヘッドに裏面が粘着性の再剥離性の特徴をもった装飾ラッピングフィルムを貼っていることを特徴とするゴルフクラブ。
【請求項２】
前記装飾ラッピングフィルムは、材質がポリ塩化ビニールで厚みが０．１ミリメートル程度の裏面に粘着性があり再剥離性の特徴をもったフィルムに熱を加えて伸縮させながら貼ってなる請求項１に記載のゴルフクラブ。
【請求項３】
ゴルフクラブヘッドと装飾ラッピングフィルムとの間に記号・文字に切り抜かれた粘着シールを貼り、その部分の装飾ラッピングフィルムが盛り上がり記号・文字が浮き出るエンボス加工を設けた請求項１乃至請求項２のいずれか1項に記載のゴルフクラブ。
【考案の詳細な説明】
【技術分野】
【０００１】
本考案は、ゴルフクラブのヘッドの装飾及び重心位置・重量調整に関するものである。
【背景技術】
【０００２】
従来、ゴルフクラブのヘッドのクラウン部に発生した傷やくすみを隠す場合、クラウン部を再塗装しなければならず、高価格、長納期という問題点があった。
【０００３】
ゴルフクラブのヘッドバランスが個人に適正ではない場合が多く、ゴルフ球を打つと左右にずれやすくなるという問題点がある。
【０００４】
また、従来ではゴルフクラブのヘッドの重心高が低いクラブでゴルフ球を打つと、スピン量が多くなり飛距離にも影響するという問題点があった。
【０００５】
さらには、ゴルフクラブのヘッドバランスを上昇させる場合、鉛シール、または、シャフトを抜いてヘッド内にウェイト等で重量調整しなければならず、専門知識のある特定の人しかできないとともに、長納期という問題点がある。
【先行技術文献】
【特許文献】
【０００６】
【特許文献１】特開２００５−４６５０７号公報
【考案の概要】
【考案が解決しようとする課題】
【０００７】
本考案は、上記問題点を解決するものであり、低価格、短納期でゴルフクラブヘッドの傷やくすみを隠すことができるとともに、スピン量が少なくなり飛距離に影響が少ないゴルフクラブを提供することにある。
【課題を解決するための手段】
【０００８】
上記課題を解決するため、本考案のゴルフクラブは、ゴルフクラブヘッドに裏面が粘着性の再剥離性の特徴をもった装飾ラッピングフィルムを貼っていることを特徴とする。
【考案の効果】
【０００９】
本考案のゴルフクラブは、ゴルフクラブヘッドに裏面が粘着性の再剥離性の特徴をもった装飾ラッピングフィルムを貼っていることを特徴とするものであるから、低価格、短納期でゴルフクラブヘッドの傷やくすみを隠すとともに、クラウン部に傷、くすみができるのを防止することができるという効果があり、更に、重心を高くすることができ、スピン量が少なくなり飛距離に影響が少ないゴルフクラブを提供することができるという効果がある。更に、ヘッドバランスを上昇させることができるという効果がある。
【図面の簡単な説明】
【００１０】
【図１】図１は、本考案の一実施形態を示すゴルフクラブの要部斜視図。
【図２】図２は、本考案の他の実施形態を示すゴルフクラブの要部斜視図。
【図３】図３は、図２におけるエンボス加工部の拡大断面図
【図４】図４は、他の実施形態を示す斜視図。
【考案を実施するための形態】
【００１１】
ゴルフクラブヘッド１に裏面が粘着性の再剥離性の特徴をもった装飾ラッピングフィルム２を貼っている。
【００１２】
装飾ラッピングフィルム２は、材質がポリ塩化ビニールで厚みが０．１ミリメートル程度の裏面に粘着性があり再剥離性の特徴をもったフィルムであり、ヒートガン等で４０℃〜８０℃の熱をフィルム全体に加え伸縮させてゴルフクラブヘッド１に空気を抜きながら密着させ貼っている。
装飾ラッピングフィルム２は、ウッドタイプのヘッド形状のゴルフクラブの場合は、クラウン部４に貼られている。
図４に示すアイアンタイプのヘッド形状のゴルフクラブの場合はバックフェース面５に貼られている。
装飾ラッピングフィルム２の厚みを変えることでヘッドバランスの調整が可能となる。
【００１３】
装飾ラッピングフィルム２のメーカーは世界中何社もあるが、ＨＥＸＩＳ社のＨＸ２００００series・ＨＸ３００００series、３Ｍ社のスコッチプリントラップフィルムシリーズ１０８０、ＯＲＡＦＯＬ社のＯＲＡＣＡＬ９７０、Ｍａｘ
Ｐｌｕｓ社のＡ９のものを使用している。
【００１４】
ヘッドバランスとは、遠心力を感じる重さであり英字と数字からなっている。英字は一般的にＡ〜Ｆがあり、Ｆに近づくにつれて重たくなる。数字は０．０〜９．９まであり、大きくなれば重たくなる。例えば、Ｃ９．９よりＤ０．０の方が遠心力を感じる重さがある。
ドライバーの場合
フィルム施工前「Ｄ２．０」は施工後「Ｄ３．０」
フェアウェイウッド、ユーティリティーの場合
フィルム施工前「Ｄ２．０」は施工後「Ｄ２．５」へ上昇させることができた。
【００１５】
シャフト６は、プレイヤーとゴルフクラブヘッド１を繋ぐ部分である。
ソケット７は、ゴルフクラブヘッド１とシャフト６を繋いでいる部分である。
【００１６】
エンボス加工８は、ゴルフクラブヘッド１に粘着シール９を貼り、その上から装飾ラッピングフィルム２を貼り凸状に浮き出て見える物のこと。
粘着シール９は、材質がポリ塩化ビニールで厚みが０．１ミリメートル程度の裏面に粘着性がある物であり、この粘着シール９を貼ることにより、更に、重心を高くすることができ、スピン量が少なくなり飛距離に影響が少ないゴルフクラブを提供することができる。また、粘着シール９の厚みを変えることでヘッドバランスの調整が可能となる。
【符号の説明】
【００１７】
１．  ゴルフクラブヘッド
２    装飾ラッピングフィルム
３．  フェース面
４．  クラウン部
５．  バックフェース面
６．  シャフト
７．  ソケット
８．  エンボス加工
９．  粘着シール
【図１】
0003184748.tif 000003
【図２】
0003184748.tif 000004
【図３】
0003184748.tif 000005
【図４】
0003184748.tif 000006
(57)【要約】      （修正有）【課題】魚介類のアラの処理で、新鮮度が確保され、作業効率が良い、乾燥機能付ボイル装置を提供する。【解決手段】ボイル装置１と乾燥装置からなり、ボイル装置は、ガスコンロ５、アラ収容部９、煮沸用水収容部８、及び、蓋７を備え、乾燥装置は、ボイルのアラ収容部の周囲に配置され、蓋２２には、アラを投入するための、投入口を設け、乾燥装置は、ボイル装置のアラ収容部の余熱を利用して、アラを乾燥させるようにしたことを特徴とする、ボイル装置と乾燥装置の組合せ装置。【選択図】図１
0003184791.tif 000002
【実用新案登録請求の範囲】
【請求項１】
ボイル装置１と乾燥具２からなり、ボイル装置１は、ガスコンロ５、円筒状のアラ収容部９、煮沸用水収容部８、及び、蓋７を備え、蓋には、アラを投入するための、投入口７１を設け、円筒状のアラ収容部９の円周と、底部は、ステンレス又はアルミ等の厚板で構成し、乾燥具２は、円筒状で、円筒状の本体２１、アラを入れるための上面の蓋２２、アラを取り出すための取り出し部２３からなり、本体２１、蓋２２、取り出し部２３は金網で構成し、乾燥具２のアラ収容部９に接する側は、金網なしで、アラ収容部９の外周面を利用するか、ステンレス又はアルミ等の薄板で、アラ収容部９の外周面に接するように構成され、魚介のアラ３をボイル装置でボイルした後、約２ｃｍ位に細分割して脱水機で脱水したアラを乾燥具に移動させ、ボイルのアラ収容部９の外周面の余熱で乾燥させるようにしたことを特徴とする乾燥機能付ボイル装置。
【考案の詳細な説明】
【技術分野】
【０００１】本考案は、魚介類を調理して捌いて発生するアラをボイルして乾燥させる乾燥機能付ボイル装置に関する。
【背景技術】
【０００２】魚介類や冷凍魚類を調理捌いたときのアラは、産廃収集運搬業者が引き取りに来るまで、ゴミ同様に放置されて酸化が進行し、夏季には腐敗が進行するので、危惧すべき状態であった。
【考案の概要】
【考案が解決しようとする課題】
【０００３】従来の魚介のアラの処理では、調理作業の終了までの放置時間、収集運搬業者が来るまでの待ち時間、遠くへの運送とその作業時間、大量のアラの処理に要する準備時間が長くなり、酸化、傷み、腐敗が進行し、衛生面で欠点が多くあった。
【課題を解決するための手段】
【０００４】ボイル装置１と乾燥具２からなり、ボイル装置１は、ガスコンロ５、円筒状のアラ収容部９、煮沸用水収容部８、及び、蓋７を備え、蓋には、アラを投入するための、投入口７１を設け、円筒状のアラ収容部９の円周と、底部は、ステンレス又はアルミ等の厚板で構成し、乾燥具２は、円筒状で、円筒状の本体２１、アラを入れるための上面の蓋２２、アラを取り出すための取り出し部２３からなり、本体２１、蓋２２、取り出し部２３は金網で構成し、乾燥具２のアラ収容部９に接する側は、金網がなしで、アラ収容部９の外周面を利用するか、ステンレス又はアルミ等の薄板、アラ収容部９の外周面に接するように構成され、魚介のアラ３をボイル装置でボイルした後、約２ｃｍ位に細分割して脱水機で脱水したアラを乾燥具に移動させ、
ボイルのアラ収容部の外周面の余熱で乾燥させるようにしたことを特徴とする乾燥機能付ボイル装置。
【考案の効果】
【０００５】ボイルの余熱を利用して乾燥できるので、新鮮度が確保され、効率がよい。
【図面の簡単な説明】
【０００６】
【図１】  本考案の乾燥機能付ボイル装置の構成
【考案を実施するための形態】
【０００７】本考案の乾燥機能付ボイル装置１０は、ボイル装置１と乾燥具２からなり、ボイル装置１は、ガスコンロ５、円筒状のアラ収容部９、煮沸用水収容部８、及び、蓋７を備え、蓋には、アラを投入するための、投入口７１を設けている。
円筒状のアラ収容部９の円周と、底部は、ステンレス又はアルミ等の厚板で構成する。
【０００８】乾燥具２は、円筒状で、円筒状の本体２１、アラを入れるための上面の蓋２２、アラを取り出すための取り出し部２３からなる。
本体、蓋部、取り出し部は金網で構成する。
乾燥具２のアラ収容部９に接する側は、金網で構成してアラ収容部９の外周面を利用してもよいし、新たにステンレス又はアルミ等の薄板、アラ収容部９の外周面に接するように構成してもよい。
【０００９】魚介のアラ３を調理したその場で、すぐに高温水蒸気か煮沸でボイルした後、約２ｃｍ位に細分割して脱水機で脱水しアラを乾燥具２の蓋２２を開けて、本体２１に移す。ボイルのアラ収容部の外周面の余熱で、乾燥具２に入れた魚介のアラを乾燥させる。乾燥し終わると、乾燥具の下部にある取り出し部を開いて、アラを取り出す。
【００１０】調理して捌く魚介類が特別に多量に場合は、アラの新鮮確保の為、蓋７−１を取り外して、蓋７の上にアラを入れたアラ収容セイロを積み重ね、アラ収容部９の高温水蒸気を通して、上昇過熱し、アラ収容セイロにいれたアラは容易にボイルされる。
【符号の説明】
【００１１】１  ボイル装置
２  乾燥具
２１    本体
２２    蓋
２３    取り出し部
３  魚のアラ
４  乾燥機能付ボイル装置
５  ガスコンロ
６  水
７  蓋
７１    投入口
８  煮沸用水収容部
９  アラ収容部
【図１】
0003184791.tif 000003
(57)【要約】      （修正有）【課題】外出時に、ポケットティッシュでは量、大きさが不足な場合、家庭用ティッシュペーパーを簡単に、なおかつ適量補充して携帯可能にする、携帯ティッシュペーパーポーチを提供する。【解決手段】家庭用ティッシュペーパーを互い違いに重なったまま適量取り出し、上部の広く開く補充口からセット補充でき、ティッシュペーパーの量にあわせて上部を閉じることができ、折りたたんで、固定できることにより持ち運びしやすい、携帯ティッシュペーパーポーチ。【選択図】図１
0003184794.tif 000002
【実用新案登録請求の範囲】
【請求項１】
家庭用ティッシュペーパーを適量つめることができ、上部に補充用開閉口を広く設け、そこにティッシュペーパーを使用する時に抜き取るスリットを作り、ティッシュペーパーを簡単に適量セットでき、なおかつ折りたたんで固定することができ、携帯しやすい、携帯ティッシュペーパーポーチ。
【考案の詳細な説明】
【技術分野】
【０００１】  本考案は、家庭用ティッシュペーパーを、外出時に適量をコンパクトに持ち運ぶために関するものである。
【背景技術】
【０００２】  従来、外出時にはポケットティッシュを持ち運ぶことが一般的である。
なお、家庭用ティッシュペーパーを補充する、携帯用ティッシュケースが知られている。（特許文献１参照）
【先行技術文献】
【特許文献】
【０００３】
【特許文献１】  特開２００３−２２６３８０号公報
【考案の概要】
【考案が解決しようとする課題】
【０００４】  従来の携帯用ティッシュケースでは、補充口がケースの横長辺部に設置されているために、ティッシュを補充しにくかったり、補充口が開いたままだとティッシュが出てしまう不具合が生じる。
開閉自在にすると、素材に厚みがでたり、開閉用材料により携帯用に折りたたむ際に不具合が生じる。よって、補充するティッシュペーパーの量も適量を入れることができなくもなる。本考案は、以上の問題点を解決するためのものである。
【課題を解決するための手段】
【０００５】  ティッシュペーパーを補充する際の補充口を、上部に広く設ける。補充口を閉じることができ、補充口を自由にずらして閉じることができるようにする。携帯用におりたため、コンパクトになる。
以上の構成による、携帯ティッシュペーパーポーチ。
【考案の効果】
【０００６】  従来、適量持ち運べず、補充しにくかった家庭用ティッシュペーパーを、本考案により、補充しやすく、適量をコンパクトに折りたたんで、携帯できるようになる。子供連れ、鼻炎の方たちのように、ティッシュペーパーをたくさん持ち歩きたい方たちには、大変便利に使用できる。
【図面の簡単な説明】
【０００７】
【図１】本考案の斜視図
【図２】本考案の折りたたんだ斜視図
【図３】本考案の使用状態を示す斜視図
【考案を実施するための形態】
【０００８】以下、本考案の実施の形態を説明する。
ティッシュペーパー取り出し口（１）を上部に設ける。上部半分が大きく開くようにし、ティッシュ補充口（２）となるようにする。
折りたたんだ時に、固定できるように、固定具（３）を設ける
本考案は以上のような構造である。
本考案を使用する時は、上部のティッシュペーパー取り出し口（１）を開き、家庭用ティッシュペーパーの箱から、互い違いになったまま適量をとり、セットする。
セットした分量にあわせて、ティッシュペーパーを抜き出すスリットを残しながら、上部を固定する。
持ち運ぶ際には、折りたたんで固定具でとめ、コンパクトな形態にして使用する。
【符号の説明】１テイッシュペーパー取り出し口、２ティッシュ補充口、３固定具、
【図１】
0003184794.tif 000003
【図２】
0003184794.tif 000004
【図３】
0003184794.tif 000005
(57)【要約】      （修正有）【課題】マンションなどは設計の合理化から排水管が細く、また、狭隘な場所を通過させる必要から、非直線形状を呈することも多く、かかる排水管を洗浄するには、自在に進行可能な洗浄装置が必要となるため、細く、また直線形状でない排水管でも自在に進行可能であり、下水管や生活排水管等の管内部を、むらなく確実に洗浄することができる管内洗浄装置用ノズルを提供する。【解決手段】ノズル子２０の先端に弾性体４０を取付け、弾性体４０の先端にガイド子３０を取り付けて構成し、弾性体４０としてコイルばねを用いて構成した。さらに、ガイド子３０の形状を略砲弾状に構成した。【選択図】図１
0003184703.tif 000002
【実用新案登録請求の範囲】
【請求項１】
ノズル子（２０）の先端に弾性体（４０）を取付け、弾性体（４０）の先端にガイド子（３０）を取り付けた管洗浄用ノズル（１０）。
【請求項２】
弾性体（４０）としてコイルばねを使用した請求項1記載の管洗浄用ノズル（１０）。
【請求項３】
ガイド子（３０）の形状を略砲弾状とした請求項１又は２に記載の管洗浄用ノズル（１０）。
【考案の詳細な説明】
【技術分野】
【０００１】
本考案は管内洗浄装置のノズルに係り、より詳しくは、下水管や生活排水管等の管内部を効果的に洗浄することができる管内洗浄装置用ノズルに関する。
【背景技術】
【０００２】
マンションや商業施設等の排水には多量の残滓、油脂等が含まれているために、これらが入り混じって排水管の管壁に固形物になって強固に付着して排水を詰まらせる問題を起こすほか、これら多量の固形汚染物が排水管内に存在するときは、病原菌の発生、悪臭の放出等の原因となって生活環境を劣化させてしまう。
【０００３】
従来、このように排水管内に強固に付着した固形物を除去するために種々の洗浄方法が提案されており、その一つとして高圧水噴射洗浄法がある。これは高圧洗浄ホースを回転させ、その先端に固着したノズル子を旋回させながらノズル孔から超高圧洗浄水を噴射させるものである。
【０００４】
管内洗浄装置の先行技術として、特許文献１には、ノズルに形成される複数の噴射孔の形成位置および各噴射孔から噴射される高圧水の噴射水量を調整することにより、前記複数の噴射孔のうち、特定の噴射孔のみが常時管内周面と対向するように設定することで、横管内でも管内周面に沿ってノズルを旋回させることを可能とした洗浄装置が開示されている。
【０００５】
特許文献２には、様々な方向に向かう噴射孔を設けることで、高圧水をあらゆる方向に噴射可能とし、洗浄力を高めた管内洗浄装置が開示されている。
【先行技術文献】
【特許文献】
【０００６】
【特許文献１】特開２００１−１７０５９１号公報
【特許文献２】特開平９−１０７１６号公報
【考案の概要】
【考案が解決しようとする課題】
【０００７】
マンションなどは設計の合理化から排水管が細く、また、狭隘な場所を通過させる必要から、非直線形状を呈することも多い。かかる排水管を洗浄するためには、自在に進行可能な洗浄装置が必要になる。そこで本考案は、細く、また直線形状でない排水管でも自在に進行可能であり、下水管や生活排水管等の管内部を、むらなく確実に洗浄することができる管内洗浄装置用ノズルを提供することを目的とする。
【課題を解決するための手段】
【０００８】
上記の目的を達成する本考案の構成は次の通りである。
【０００９】
（１）  請求項１に記載の考案は、ノズル子の先端に弾性体を取付け、弾性体の先端にガイド子を取り付けて構成した。
【００１０】
（２）  請求項２に記載の考案は、請求項１記載の管洗浄用ノズルにおいて、弾性体としてコイルばねを用いて構成した。
【００１１】
（３）  請求項３に記載の考案は、請求項１又は２に記載の管洗浄用ノズルにおいて、ガイド子の形状を略砲弾状に構成した。
【考案の効果】
【００１２】
上記のように構成される本考案が、如何に作用して課題を解決するかを図面を参照しながら概説する。
【００１３】
図１は本考案に係る管洗浄用ノズル１０の正面図である。管洗浄用ノズル１０は、高圧洗浄水が噴射されるノズル子２０の先端に弾性体４０が取付けられ、該弾性体４０の先端にガイド子３０が取付けられている。弾性体４０が介在させてあることから、ガイド子３０が、曲がりくねった管路や狭隘な管路であっても自在に入り込み、ノズル子２０から噴射される高圧洗浄水による推進力により、管路内に侵入し洗浄するものである。
【００１４】
これに対し、従来一般的に使用されている、高圧ホースにノズル子を取り付けただけの管内洗浄装置用ノズルでは、高圧洗浄水が高圧ホース内に充満することから、高圧ホースが硬化し自在の屈曲性が失われる。かように棒状体になってしまうことから、曲がりくねった管路や狭隘な管路への侵入が困難なものである。
【図面の簡単な説明】
【００１５】
【図１】本考案に係る管洗浄用ノズルの正面図
【図２】ノズル子の断面図
【考案を実施するための形態】
【００１６】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００１７】
本考案に係る管洗浄用ノズル１０は、排水管に挿入される高圧ホース５０の挿入端部に挿着されるノズル子２０と、該ノズル子２０の先端に取付けられた弾性体４０、該弾性体４０の先端に取付けられたガイド子３０とにより成るものである。
【００１８】
ノズル子２０は高圧ホース５０内に挿入される円筒形状の小径部２１と、小径部２１に連設し、小径部２１より径の大きな円筒形状を呈する大径部２２とにより成る。
【００１９】
小径部２１の外周には高圧ホース５０の抜けを防止するためのスカート部２３が複数設けられていると共に、その内部には通水孔２６が設けられている。
【００２０】
大径部２２はその内部に孔部２４が設けられており、弾性体４０が装着可能に設けられている。
【００２１】
大径部２２の下端面には複数の噴射口２５が設けられている。噴射口２５は、小径部２１内部の通水孔２６と連通しており、図２に示すように高圧水Ａが噴出されるものである。
【００２２】
弾性体４０は弾性を有する棒状体であり、樹脂でも形成可能であるが、コイルばねを利用することが好ましい。
【００２３】
ガイド子３０は、管洗浄用ノズル１０の進行方向を案内するための要素であり、円柱状、円錐状その他の任意の形状体を利用できるが、案内性を高めるために略砲弾状に形成することが好ましい。
【００２４】
次に、この管洗浄用ノズル１０の管内洗浄時の動作について説明する。高圧ホース５０に高圧の洗浄水が供給されると、ノズル子２０に設けられた複数の噴射口２５から洗浄水が噴出される。噴射口２５はノズル子２０の大径部２２下端面に設けられていることから、噴出される高圧水Ａは、管洗浄用ノズル１０の管内進行方向と逆方向に噴出されることに成り、つまりは管洗浄用ノズル１０の推進力と成り、排水管内を自走進行し、管内洗浄を行うものである。
【符号の説明】
【００２５】
１０・・管洗浄用ノズル
２０‥ノズル子
３０・・ガイド子
４０・・弾性体
５０・・高圧ホース
【図１】
0003184703.tif 000003
【図２】
0003184703.tif 000004
(57)【要約】      （修正有）【課題】缶詰ポークを安全に切断でき、缶詰ポーク缶からポーク肉をスムーズに取り出せる缶詰ポークの切断加工具を提供する。【解決手段】切断加工具は、ガイド板Ａとスライド板Ｂとより構成される。ガイド板Ａはその一端部に缶詰ポークＰを縦方向に切断する板刀Ｃと缶詰ポーク缶に穴を開ける缶切り突起Ｊと皮むき刀Ｍ，Ｎと他端部に缶詰ポークを上から押さえる押さえカバーＤ１，Ｄ２とスライド板Ｂを、そのスライドバーＨにおいて上方または下方でガイドするガイド溝Ｆ１，Ｆ２とを有している。スライド板ＢはスライドバーＨと押さえた缶詰ポークを薄くまたは厚く水平方向に切断する糸状カッターＥを有している。【選択図】図５
0003185082.tif 000002
【実用新案登録請求の範囲】
【請求項１】
ガイド板Ａと、スライド板Ｂとより構成し、前記ガイド板Ａはその一端部に缶詰ポークＰを縦方向切断する板刀Ｃと缶詰ポーク缶に穴を開ける缶切り突起Ｊと皮むき刀Ｍ，Ｎと他端部に缶詰ポークＰを上から押さえる押さえバーＤと、前記スライド板ＢをそのスライドバーＨにおいて上方又は下方へガイドするガイド溝Ｆとを有し、スライド板Ｂは、前記スライドバーＨと押さえた缶詰ポークＰを薄く又は厚く水平方向に切断する糸状カッターＥとを有していることを特徴とする缶詰ポーク切断加工具。
【考案の詳細な説明】
【技術分野】    本発明は、缶詰ポークを板状、長方体、さいの目状に安全に切断する缶詰ポークの切断加工具に関するものである。又、缶詰ポーク缶からポーク肉をスムーズに取り出せる切断加工具と皮むき刀に関するものである。
【背景技術】    缶詰ポークを板状、長方体、さいの目状に切断する場合従来包丁で切断しているので、指を切るなど怪我をすることがある。又一定の力を加えないと切断困難な面も有り安全とは言えなかった。図９、１０の缶詰ポーク缶を開封しても缶の中は真空状態でポーク肉と缶とが密着してポーク肉を缶から取り出すのに困難な面も有り安全とは言えなかった。
【先行技術文献】
【特許文献】
【特許文献】  特許第５２２４２２５号  未公報  出願番号  特願  ２０１２−２２４５３５  出願日  平成２４年  ９月２０日  登録日  平成２５年  ３月２２日  識別番号  ５１２２６１１１５
【考案の概要】
【考案が解決しようとする課題】    本発明は従来の問題点を解決するためになされたので、缶詰ポークを安全に切断できるのと缶詰ポーク肉を缶からスムーズに取り出すことのできる缶詰ポークの切断加工具と皮むき刀を提供することを課題とする。
【課題を解決しようとするための手段】
本発明が提供する缶詰ポーク切断加工具は、ガイド板Ａとスライド板Ｂとにより構成し、前記ガイド板Ａはその一端部に缶詰ポークＰを縦方向に切断する板刀Ｃと、他端部に缶詰ポークＰを上から押さえる押さえバーＤ、前記スライド板ＢをそのスライドバーＨにおいて上方または下方へガイドするガイド溝Ｆとを有し、スライド板Ｂは前記スライドバーＨと押さえた缶詰ポークＰを薄く又は厚く水平方向に切断する糸状カッターＥと缶詰ポーク缶に穴を開ける缶切突起Ｊと皮むき刀Ｍ，Ｎとを有していることを特徴とするものである。
【考案の効果】
料理のメニューに合った切断も可能になり、従来の包丁使用でのカット作業よりも安全で危険の除去にもなり、カット作業の時間も短縮になる。又子供、年輩者でも楽に安全で切断作業が可能になる。又、缶詰ポーク缶を開封する前に缶切り突起Ｊで缶底に２個以上の穴を開け缶の中の真空状態を、空気を取り入れることで缶とポーク肉の密着度を排除することになり、ポーク肉を缶からスムーズに取り出せる。又、切断加工具の中部の皮むき刀で各種の食材を皮むきすることができる。
【図面の簡単な説明】
【図１】缶詰ポークＰの切断加工具と皮むき刀の動作を示す平面図
【図２】缶詰ポークＰの切断加工具と皮むき刀の正面図
【図３】缶詰ポークＰの切断加工具の動作を示す側面図
【図４】缶詰ポークＰの切断加工具図３の正面図
【図５】缶詰ポークＰの切断加工具動作を示す側面図
【図６】缶詰ポークＰの切断加工具図５の正面図
【図７】缶詰ポークＰの切断加工具の動作を示す側面図
【図８】缶詰ポークＰの切断加工具図７の動作を示す正面図
【図９】缶詰ポーク缶の缶切り加工具の動作を示す側面図
【図１０】缶詰ポーク缶の缶切り加工具図９の動作を示す正面図
【考案を実施するための形態】
以下本発明の缶詰ポーク切断加工具を図面によって説明する。
【切断加工具の構成】
図１，２，３，４，５，６，７，８，９，１０においてガイド板Ａの一端部に、縦方向に切断する板刀Ｃと缶に穴を開ける缶切り突起Ｊと皮むき刀Ｍ，Ｎと他端部に缶詰ポークＰを上から押さえる押さえバーＤ１とＤ２と上方または下方へガイドするガイド溝Ｆ１とＦ２の構成となる。
スライド板Ｂの張設した水平方向に切断する糸状カッターＥと、缶詰ポークＰを押さえるスライドバーＨの構成となる。図３，４，５，６のスライド板Ｂの動作図Ｆ１の溝はＧ１の肉厚Ｆ２の溝はＧ２の肉厚となる上方または下方へ可変可能な構成となる。図７，８、板刀Ｃは自由な肉厚の切断と、図９，１０は缶詰ポーク缶Ｌに穴を開ける缶切り突起Ｊの構成と図１，２、皮むき刀Ｍ，Ｎの構成となる。
【図１】
0003185082.tif 000003
【図２】
0003185082.tif 000004
【図３】
0003185082.tif 000005
【図４】
0003185082.tif 000006
【図５】
0003185082.tif 000007
【図６】
0003185082.tif 000008
【図７】
0003185082.tif 000009
【図８】
0003185082.tif 000010
【図９】
0003185082.tif 000011
【図１０】
0003185082.tif 000012
(57)【要約】      （修正有）【課題】立体感、臨場感及び幻想感のある映像を投影できる立体映像システムを提供する。【解決手段】水晶玉１と、被写体を映写するための複数の映写機２と、を備え、複数の映写機は、水晶玉の後方に映像２０が水晶玉の中心で重って投影されるように、水晶玉の中心に対して所定の角度間隔θを置いて配置されている。映像２０は、被写体を中心にして所定の角度間隔θを置いて撮影されたものであり、視聴者３は、水晶玉の前方から水晶玉に投影された映像を見る。水晶玉は特有の複数屈折性を有しているので、水晶玉の透明感と共に、立体感、臨場感及び幻想感のある映像が投影される。【選択図】図１
0003185087.tif 000002
【実用新案登録請求の範囲】
【請求項１】
水晶玉と、
被写体を映写するための複数の映写機と、を備え、
前記複数の映写機は、
前記水晶玉の後方に配置されると共に、前記複数の映写機からの映像が前記水晶玉の中心に向けて重って投影されるように、前記水晶玉の中心に対して所定の角度間隔を置いて配置されており、
前記複数の映写機からの映像は、
前記被写体を中心にして前記所定の角度間隔を置いて撮影されたものであり、
視聴者は、
前記水晶玉の前方から前記水晶玉に投影された映像を見るように構成されている
ことを特徴とする立体映像システム。
【請求項２】
前記複数の映写機は、３つの前記映写機からなり、
前記複数の映写機からの映像は、顔を含む人物であって、前記顔を中心にして前記所定の角度間隔を置いて撮影されたものであり、前記顔が前記水晶玉の中心で重って投影されるようになっている
ことを特徴とする請求項１に記載の立体映像システム。
【考案の詳細な説明】
【技術分野】
【０００１】
本考案は、撮影された被写体を立体的に投影するための立体映像システムに関するものである。
【背景技術】
【０００２】
一般的に、撮影された被写体を投影するシステムは、映写機からの映像を平坦なフラットスクリーンに投影するように構成されている。そのため、従来のシステムでは、平坦な被写体の映像しか投影できず、立体感のある映像を投影できなかった。その結果、例えば、僧侶などの被写体が演説をしている様子をビデオカメラで撮影して、その撮影された被写体を信者などの観衆に見せたり、または、無線または有線回線を通じて、被写体をカメラで撮影しながら、信者などの観衆に見せたりする場合、従来のシステムでは、単に、平坦なフラットスクリーンに撮影された被写体を投影するので、立体感、臨場感及び幻想感の欠ける映像しか投影できなかった。
【０００３】
例えば、特許文献１の通り、複数のカメラからの映像を非平面体（例えば、球面）に投影することで、遠隔ミーティング中の様子をよりリアルな表現および表示できるようなシステムがある。しかしながら、映像を投影する非平面体は、単なるスクリーンまたはディスプレイで構成されているので、立体感、臨場感及び幻想感の欠ける映像しか投影できなかった。
【先行技術文献】
【特許文献】
【０００４】
【特許文献１】特開２００５−２１８１０３号公報
【考案の概要】
【考案が解決しようとする課題】
【０００５】
そこで、本考案が解決しようとする課題は、立体感、臨場感及び幻想感のある映像を投影できる立体映像システムを提供することにある。
【課題を解決するための手段】
【０００６】
上記課題を解決するために、本考案に係る立体映像システムは、
水晶玉と、
被写体を映写するための複数の映写機と、を備え、
複数の映写機は、
水晶玉の後方に配置されると共に、複数の映写機からの映像が水晶玉の中心に向けて重って投影されるように、水晶玉の中心に対して所定の角度間隔を置いて配置されており、
複数の映写機からの映像は、
被写体を中心にして所定の角度間隔を置いて撮影されたものであり、
視聴者は、
水晶玉の前方から水晶玉に投影された映像を見るように構成されている。
【０００７】
好ましくは、
複数の映写機は、３つの映写機からなり、
複数の映写機からの映像は、顔を含む人物であって、顔を中心にして所定の角度間隔を置いて撮影されたものであり、顔が水晶玉の中心で重って投影されるようになっている。
【考案の効果】
【０００８】
本考案は、複数の映写機からの映像を水晶玉の中心に向けて重ねて投影することにより、立体感、臨場感及び幻想感のある映像を投影できる。
【図面の簡単な説明】
【０００９】
【図１】（Ａ）は本考案に係る立体映像システムを示す図、（Ｂ）は水晶玉に投影された映像を示す図である。
【考案を実施するための形態】
【００１０】
以下、図面に基づいて、本考案に係る立体映像システムを説明する。
【００１１】
図１（Ａ）の通り、立体映像システムは、水晶玉１と、被写体を映写するための３つの映写機２，２’，２’’と、を備える。水晶玉１は、載置台１０に載せられて位置決めされている（図１（Ｂ））。各映写機２，２’，２’’は、水晶玉１の後方に配置されている。各映写機２，２’，２’’は、それぞれの映写方向２ａ，２ａ’，２ａ’’が水晶玉１の中心に向くように配置されている。
【００１２】
図１（Ａ）の通り、各映写機２，２’，２’’は、それぞれの映写方向２ａ，２ａ’，２ａ’’が水晶玉１の中心に対して所定の角度間隔θを置くように配置されている。所定の角度間隔θは、例えば、３０〜６０度であり、好ましくは、４５度である。
【００１３】
各映写機２，２’，２’’からの映像は、同一の被写体を中心にして、所定の角度間隔θを置いて、同時に撮影されたものである。そして、各映写機２，２’，２’’は、それぞれの映像２０，２０’，２０’’を水晶玉１の中心に向けて重ねて投影する。従って、水晶玉１の中心には、同時に撮影された同一被写体の映像２０，２０’，２０’’が重なって合成されて投影される。
【００１４】
そして、視聴者３は、水晶玉１の前方から、水晶玉１に投影された各映像２０，２０’，２０’’を見るようになっている。図１（Ｂ）の通り、水晶玉１の内部には、各映像２０，２０’，２０’’が重なって投影されており、水晶玉１は特有の複数屈折性を有しているので、水晶玉１の透明感と共に、立体感、臨場感及び幻想感のある映像が投影される。
【００１５】
例えば、人物の顔を中心にして所定の角度間隔θを置いて同時に撮影したものが、各映写機２，２’，２’’から水晶玉１に投影される。そのため、人物の顔の映像２０，２０’，２０’’が、水晶玉１の内部で投影される。
【００１６】
上記の実施形態では、３つの映写機２，２’，２’’が配置されているが、２つ以上の映写機でよく、４つ、５つ等でもよい。また、被写体は人物に限らず、商品や動物などであってもよい。また、ドライアイスを使った霧を水晶玉１の周囲空間に発生させることで、水晶玉１の周囲に霧状のスクリーンを形成して、映写機２，２’，２’’からの映像を水晶玉１に投影すると共に、水晶玉１から外れた映像を霧状のスクリーンにも投影できる。これによって、水晶玉１と併せて霧状スクリーンにも映像を投影することで、臨場感のある映像を投影できる。
【符号の説明】
【００１７】
１  水晶玉
２  映写機
２０  映像
３  視聴者
θ  所定の角度
【図１】
0003185087.tif 000003
(57)【要約】      （修正有）【課題】ギターのヘッドストックの表正面、両側面、上側面の装飾構造を提供する。【解決手段】カバー１０をギターのヘッドストック５０の表正面、両側面、上側面に覆い被せることにより装飾する。カバーは、天然木材の無垢材をヘッドストックの形状に合わせてくりぬいて形成する。天然木材の無垢材に限らず、切削可能な鉄、アルミ等のような金属を切削して形成することもできる。また、切削可能な樹脂材を切削して形成することもできる。【選択図】図１
0003185007.tif 000002
【実用新案登録請求の範囲】
【請求項１】
ギターのヘッドストックを装飾するにあたり、カバーをギターのヘッドストックの表正面、両側面、上側面に覆い被せることによりヘッドストックの表正面、両側面、上側面をカバーで覆い被せて装飾することを特徴とするギターのヘッドストックの装飾構造。
【請求項２】
前記カバーは、天然木材の無垢材を前記ヘッドストックの形状に合わせてくりぬいて形成することを特徴とする請求項１記載のギターのヘッドストックの装飾構造。
【請求項３】
前記カバーは、切削可能な鉄、アルミ等のような金属を切削して形成することを特徴とする請求項１記載のギターのヘッドストックの装飾構造。
【請求項４】
前記カバーは、切削可能な樹脂材を切削して形成することを特徴とする請求項１記載のギターのヘッドストックの装飾構造。
【考案の詳細な説明】
【技術分野】
【０００１】
本考案は、カバーをギターのヘッドストックに張り付けてヘッドストックを装飾するギターのヘッドストックの装飾構造に関するものである。
【背景技術】
【０００２】
一般的なギターは、図４に示すように、ボディ３０と、細長いネック４０と、ネック４０の一方の端にあるヘッドストック５０とから成り、ヘッドストック５０及びネック４０の境界部分に取り付けられたナット６０とボディ３０に取り付けられたブリッジ７０との間に複数の弦８０が張られ、これらの弦８０はヘッドストック５０に取り付けられたペグ９０により巻き上げられ張力が調整され、開放弦の音程が決められる。
【０００３】
ギターのヘッドストック５０は、ギターの特徴づけのためにデザイン的に重要な役割を持っている。しかしながらネック４０の延長として製作するためマホガニー、メイプルなどの特定の材質に限られ、色調、木目も一定のものに落ち着いてしまう。
【考案の概要】
【考案が解決しようとする課題】
【０００４】
マイギターとして特徴を持たすため、従来は、図３に示すように、ヘッドストック５０の表面即ち天神に、美しい木目を持つ木材を薄くスライスした装飾用単板（ツキ板）２０を張り、様々な木目、色調で天神に装飾を施している。しかしながら、表面のみのツキ板装飾の場合、表面以外の側面からの観察では下地材が見えてしまう欠点があった。また、側面もツキ板２０で覆ったとしても木目方向が同じになり高級感を醸し出すことはできなかった。
【０００５】
本考案は上記のような問題点に鑑みてなされたもので、カバーをギターのヘッドストックの表正面、両側面、上側面に覆い被せることによりヘッドストックの表正面、両側面、上側面をカバーで覆い被せて装飾することを目的とするものである。
【課題を解決するための手段】
【０００６】
上記目的を達成するため、請求項１の考案は、ギターのヘッドストックを装飾するにあたり、カバーをギターのヘッドストックの表正面、両側面、上側面に覆い被せることによりヘッドストックの表正面、両側面、上側面をカバーで覆い被せて装飾することを特徴とするものである。
【０００７】
また、請求項２の考案は、請求項１記載のギターのヘッドストックの装飾構造であって、カバーは、天然木材の無垢材をヘッドストックの形状に合わせてくりぬいて形成することを特徴とするものである。
【０００８】
また、請求項３の考案は、請求項１記載のギターのヘッドストックの装飾構造であって、カバーは、切削可能な鉄、アルミ等のような金属を切削して形成することを特徴とするものである。
【０００９】
また、請求項４の考案は、請求項１記載のギターのヘッドストックの装飾構造であって、カバーは、切削可能な樹脂材を切削して形成することを特徴とするものである。
【考案の効果】
【００１０】
本考案によれば、ギターのヘッドストックを装飾するにあたり、カバーをギターのヘッドストックの表正面、両側面、上側面に覆い被せ、ヘッドストックの表正面、両側面、上側面をカバーで覆い被せて装飾することにより、側面からの観察でも下地材が見えてしまうことなく、高級感を醸し出すことができる。
【図面の簡単な説明】
【００１１】
【図１】本考案によるギターのヘッドストックの装飾構造の実施例を示す表面斜視図である。
【図２】同上の裏面斜視図である。
【図３】従来のギターのヘッドストックの装飾構造を示す表面斜視図である。
【図４】ギターの全体図である。
【考案を実施するための形態】
【実施例】
【００１２】
以下、添付の図面に従って本考案を詳細に説明する。図１はギターのヘッドストックの装飾構造の実施例を示す表面斜視図、図２は裏面斜視図であり、１０はギターのヘッドストック５０の表正面、両側面、上側面を覆い被せて装飾するカバーである。
【００１３】
カバー１０は、天然木材の無垢材をヘッドストック５０の形状に合わせてくりぬいて形成する。無垢材のくりぬきはコンピュータ制御によるＮＣ旋盤機を使い、三次元デザインによりかぶせるカバー１０の内面をヘッドストック５０の外形面にあうように設計し、ＮＣ旋盤機を使って彫り込みます。
【００１４】
ヘッドストック５０にかぶせるカバー１０の材質は天然木材の無垢材に限らず、切削可能な鉄、アルミ等のような金属を切削して形成することもできる。また、切削可能な樹脂材を切削して形成することもできる。
【００１５】
また、無垢材の場合は、化粧板に使われるような木目のきれいなロースウッド、ウオルナット、オーク、メイプル、チェリーなどが採用されるが、高級な焦げ茶色の家具をイメージするならばローズウッド、淡色系の木目ならばメイプルが好適である。
【００１６】
以上説明したように、本考案によるギターのヘッドストックの装飾構造によれば、ギターのヘッドストックを装飾するにあたり、カバーをギターのヘッドストックの表正面、両側面、上側面に覆い被せ、ヘッドストックの表正面、両側面、上側面をカバーで覆い被せて装飾することにより、側面からの観察でも下地材が見えることなく、高級感を醸し出すことができる。
【符号の説明】
【００１７】
１０  カバー
２０  装飾用単板（ツキ板）
３０  ボディ
４０  ネック
５０  ヘッドストック
６０  ナット
７０  ブリッジ
８０  弦
９０  ペグ
【図１】
0003185007.tif 000003
【図２】
0003185007.tif 000004
【図３】
0003185007.tif 000005
【図４】
0003185007.tif 000006
(57)【要約】      （修正有）【課題】請求書の金額等が、楽に、自然に、屈辱感なく確認できるキャッシュトレーを提供する。【解決手段】キャッシュトレー１の底部に拡大鏡２を埋め込む。拡大鏡２は例えば膨らみが少なく、底部に使用しても違和感がないフレネルレンズである。このキャッシュトレー１によれば、底部の拡大鏡２を用いて請求書の内容・金額を確認できるので老眼鏡を探してかけたり、はずしたりの手間が不要となる。【選択図】図１
0003185074.tif 000002
【実用新案登録請求の範囲】
【請求項１】
底部に拡大鏡を埋め込んだことを特徴とするキャッシュトレー
【考案の詳細な説明】
【技術分野】
【０００１】  本考案は、飲食店等での代金の支払い等に用いるキャッシュトレーの構造に関する。
【背景技術】
【０００２】  従来の、飲食店等での代金の支払い等に用いるキャッシュトレーは、底部には視覚を助けるための何の工夫もないものであった。
【考案の概要】
【考案が解決しようとする課題】
【０００３】  飲食店等での代金の支払いの際に、弱視者や、特に高齢者は、老眼などの加齢による視力低下により、近距離で請求書の金額等を確認するためには、目を細めて見たり、明かりに近づけたり、老眼鏡を探したりと、不便を強いられ、男女を問わず強い羞恥心を感じさせることを常とした。
そこで、この考案は、老眼鏡を用意せずとも請求書の金額等を楽に、羞恥心を感じることなく見ることができるようにすることを課題とする。
【課題を解決するための手段】
【０００４】  以上の課題を解決するために，本考案は、底部に拡大鏡を埋め込んだことを特徴とするキャッシュトレーである。
【考案の効果】
【０００５】  本考案によればキャッシュトレーの底部に拡大鏡を埋め込んだので、請求書の金額等が、楽に、自然に、屈辱感なく確認できる。
【図面の簡単な説明】
【図１】  この考案の一実施形態を示す透視図である。
【考案を実施するための形態】
【０００６】    この考案の一実施形態を、図１に示す。キャッシュトレー１の底部の一部または全部が拡大鏡２になっている。
この実施形態によれば、底部の拡大鏡２を用いて請求書の内容・金額を確認できるので老眼鏡を探してかけたり、はずしたりの手間が不要となる。
【符号の説明】
【０００７】１  キャッシュトレー    ２  拡大鏡
【図１】
0003185074.tif 000003
(57)【要約】      （修正有）【課題】簡単に収納が出来、更に使用しない際に見栄えの良い柄付洗浄体収納具を提供する。【解決手段】柄付洗浄体１２の収納具において、上部に開口部２を有し、底に台座３を有し、内側に柄８の外径１１とほぼ同じ大きさ以上の内径が形成されるように３本以上の複数のリブを設ける。【選択図】図１
0003185078.tif 000002
【実用新案登録請求の範囲】
【請求項１】
柄付洗浄体（１２）の収納において、上部に開口部（２）を有し、底に台座（３）を有し、内側に柄（８）の外径（１１）とほぼ同じ大きさ以上の内径（６）が形成されるように３本以上の複数のリブ（４）が設けられていることを特徴とする柄付洗浄体収納具（１）。
【請求項２】
柄付洗浄体（１２）のうち洗浄体（７）が、スポンジフォーム又はブラシから形成されていることを特徴とする請求項１に記載の柄付洗浄体収納具（１）。
【考案の詳細な説明】
【技術分野】
【０００１】  本考案は、柄付洗浄体収納具に関し、簡単に収納が出来、更に使用しない際に見栄えの良い柄付洗浄体収納具に関する。
【背景技術】
【０００２】  従来、柄付洗浄体は、柄の洗浄体の反対の端面や端面近くにカギ形状や穴を設けて引っかけて収納していた。【０００３】  一方で柄付洗浄体の柄の端面を別の収納台座に穴を開けた部分に突っ込んで保持収納するものが知られている。
【考案の概要】
【０００４】  先の単に引っかけて収納するものでは、十分な高さの有る引っかけ場所やＳ字フック等を設置しなければならない欠点が有った。
【０００５】  一方の柄付洗浄体の柄の端面を別の収納台座に穴を開けた部分に突っ込んで保持収納するものは、柄を穴に入れる際に、穴に狙いを定めて正確に入れなければならず、大変使い勝手の悪いものであった。
【問題を解決するための手段】
【０００６】  上記課題を解決するために本考案は、柄付洗浄体（１２）の収納において、上部に開口部（２）を有し、底に台座（３）を有し、内側に柄（８）の外径（１１）とほぼ同じ大きさ以上の内径（６）が形成されるように３本以上の複数のリブ（４）が設けられていることを特徴としている。
【０００７】  又、柄付洗浄体（１２）のうち洗浄体（７）が、スポンジフォーム又はブラシから形成されていることも特徴としている。
本考案は以上のような構成からなる柄付洗浄体収納具である。
【考案の効果】
【０００８】  本考案の柄付洗浄体収納具は以上のような構成であるため、柄付洗浄体を使用後、水洗い等を行い、洗浄体と反対の端面を開口部から入れれば、柄の外径とほぼ同じ大きさ以上の内径が３本以上の複数個のリブによって形成されているため、簡単にリブがガイドの役目となって柄端面が、本考案の柄付洗浄体収納具の内部の底面に当たり自立したまま保持収納出来る優れたものになる。
【０００９】  もちろん使用時もそのまま柄や洗浄体部分を握って、片手で簡単に取り出す事の出来る優れたものとなる。
【００１０】  又、使用後、洗浄体が十分水切り出来ていない場合、収納後、しずくが洗浄体から落ちても開口部の内側に落ちるため、収納具の外を汚したり、濡らす事の無いものとなる。
【００１１】  副次的効果として、洗浄体を例えば花びら、柄を茎、柄付洗浄体収納具を葉っぱのように外観をデザインすれば、収納時に一本の花のようになり、大変見栄えの良いものとなる。
【図面の簡単な説明】
【００１２】
【図１】本考案の柄付洗浄体収納具の使用状態の一実施例を示す使用斜視図である。
【図２】本考案の柄付洗浄体収納具の一実施例の平面図である。
【図３】本考案の図２のＡ−Ａ部を示した断面図である。
【図４】本考案の別の柄付洗浄体収納具の一実施例の平面図である。
【図５】本考案の図４のＢ−Ｂ部を示した断面図である。
【考案を実施するための形態】
【００１３】  本考案における柄付洗浄体収納具の大きさ、形状、デザイン、材質、製造方法等は特に限定されないが、通常は合成樹脂成形で大量生産出来るものが好ましい。例えばポリプロピレン、ＡＢＳ樹脂等があげられる。
【００１４】  又、本考案の柄付洗浄体のうち、洗浄体がスポンジ、例えばウレタンフォームや樹脂ブラシ等から形成されるのが好ましい。もちろんその色や大きさ等は特に限定されない。
【００１５】  なお、例えば洗浄体をチューリップの花びらのように形成し、柄部分をチューリップの茎のように太さに変化を持たせ、更に柄付洗浄体収納具自体をチューリップの二枚葉のようにデザインすれば、柄付洗浄体を収納すると、一本のチューリップの花のように大変見栄えが良くなる。
【実施例】
【００１６】  以下、本考案の実施例を図１、図２、図３、図４及び図５で説明するが、これによって本考案は何ら限定されるものではない。【００１７】  図１は、本考案のチューリップの二枚葉のようにデザインした柄付洗浄体収納具（１）においてチューリップの茎のような外観に形成した柄（８）及びチューリップの花びらのように外観をウレタンスポンジで形成した洗浄体（７）とが柄付洗浄体（１２）として一体構成され、該柄付洗浄体（１２）の洗浄体（７）と反対の柄端面（９）を該柄付洗浄体収納具（１）の開口部（２）から収納する様子を示しており、収納後には、一本のチューリップの花のように収納出来る。【００１８】  図２は、本考案の図１で示した柄付洗浄体収納具（１）の平面図を示しており、柄付洗浄体（１２）を収納するために入れた際、柄（８）の外径（１１）とほぼ同じ大きさ以上の内径（６）が複数個のリブ（４）によって形成されているために、リブがガイドの役目となる事が理解出来る。【００１９】  図３は、本考案の図２のＡ−Ａ部の断面を示した断面図であり、上部に開口部（２）が、下部には台座（３）が有る。内部にはガイドの役目となるリブ（４）が複数個形成されている。【００２０】  図４は、本考案の別の形状の柄付洗浄体収納具（１）の一例を示した平面図であり、図２と同様に内径（６）が複数個のリブ（４）によって形成されているのがわかる。【００２１】  図５は、本考案の図４のＢ−Ｂ部の断面を示した断面図であり、図３と同様に、上部に開口部（２）が、下部には台座（３）が、内部にはガイドの役目となるリブ（４）が複数個形成されているのがわかる。
【符号の説明】
【００２２】１  柄付洗浄体収納具    ２  開口部    ３  台座    ４  リブ    ５  底面
６  内径    ７  洗浄体    ８  柄    ９  柄端面    １０  引っかけ穴
１１  外径      １２  柄付洗浄体
【図１】
0003185078.tif 000003
【図２】
0003185078.tif 000004
【図３】
0003185078.tif 000005
【図４】
0003185078.tif 000006
【図５】
0003185078.tif 000007